(57)【特許請求の範囲】
【請求項１】
第１筐体と、
前記第１筐体と移動可能に接続された第２筐体と、
前記第１筐体と、前記第２筐体とにわたって配線されたケーブルと、
前記第１筐体の少なくとも一部、及び前記第２筐体の少なくとも一部とともに、前記ケーブルが収容される空間を規定するカバーと、
を有し、
前記第１筐体又は前記カバーには、外部から前記空間へ通じる導入孔が形成され、
前記第１筐体、前記第２筐体及び前記カバーのうちのいずれかには、前記空間から外部へ通じる排出孔が形成され、
前記導入孔の開口方向と前記排出孔の開口方向とは、直交することを特徴とする携帯通信端末。
【請求項２】
前記導入孔を覆うフィルタを更に有することを特徴とする請求項１に記載の携帯通信端末。
【請求項３】
前記排出孔の開口面積は、前記導入孔の開口面積よりも小さいことを特徴とする請求項１又は２に記載の携帯通信端末。
【請求項４】
前記排出孔を覆うフィルタを有することを特徴とする請求項１乃至３のいずれか一項に記載の携帯通信端末。
【請求項５】
前記第２筐体は、前記第１筐体に重なった第１位置から、前記第１筐体に対して所定の角度をなす第２位置まで、回転軸を中心として回動可能に接続されていることを特徴とする請求項１乃至４のいずれか一項に記載の携帯通信端末。
【請求項６】
前記ケーブルは、前記第１筐体内に配置される電子ユニットと、前記第２筐体内に配置される電子ユニットとを電気的に接続するフレキシブルプリント基板であることを特徴とする請求項５に記載の携帯通信端末。
【請求項７】
前記フレキシブルプリント基板は、前記回転軸を中心に巻き回された第１状態に整形され、
前記第２筐体が前記第１位置にあるときに、前記第１状態となり、
前記第２筐体が前記第２位置にあるときに、前記フレキシブルプリント基板同士の間隔の最小値が、前記第１状態における前記フレキシブルプリント基板同士の間隔の最小値よりも小さくなることを特徴とする請求項６に記載の携帯通信端末。
【請求項８】
前記フレキシブルプリント基板の表面には、突起が形成されていることを特徴とする請求項６又は７に記載の携帯通信端末。
【請求項９】
前記ケーブルは、前記第１筐体の内部に配置される電子ユニットと、前記第２筐体の内部に配置される電子ユニットとを接続する同軸ケーブルであることを特徴とする請求項５に記載の携帯通信端末。
【請求項１０】
前記空間を規定する面には、前記排出孔の開口方向と直交する方向に対して傾斜する傾斜面が形成されていること特徴とする請求項１乃至９のいずれか一項に記載の携帯通信端末。
【請求項１１】
前記カバーは前記第１筐体の一部であり、前記第２筐体は、前記第１筐体に対して、スライド可能に接続されていることを特徴とする請求項１乃至４のいずれか一項に記載の携帯通信端末。
【請求項１２】
前記空間を規定する面には、前記導入孔の開口方向と直交する方向に対して傾斜する傾斜面が形成されていることを特徴とする請求項１１に記載の携帯通信端末。
【発明の詳細な説明】
【技術分野】
【０００１】
本発明は、２つの筐体を移動可能に接続した携帯通信端末に関する。
【背景技術】
【０００２】
携帯通信端末においては、その携帯性から様々な場所で利用することが想定される。そのため、水道水、海水、泥水、洗剤溶水等に対する防水機能が求められる。
【０００３】
一方、近年の携帯通信端末は、携帯性を確保する観点から、筐体が２ピースとなっているものが主流である。筐体同士の接続部はその構造が複雑になるため、外部からの水を完全に防水することが難しい。このため、筐体が２ピースの携帯通信端末では、筐体同士の接続部へ進入する水の対策が大きな課題となっている。そこで、特許文献１に記載の携帯通信端末が提案されている。
【先行技術文献】
【特許文献】
【０００４】
【特許文献１】特開２００８−２５０６１７号公報
【発明の概要】
【発明が解決しようとする課題】
【０００５】
特許文献１には、接続部へ進入した水を排出するための排出孔が形成された携帯通信端末が開示されている。しかしながら、この携帯通信端末は、排出孔を有するだけであり、接続部の内部の洗浄が困難である。そのため、水に含まれる溶質、浮遊粒子が内部に残存する可能性がある。これにより、接続部の摺動面やフレキシブルプリント基板の表面が傷ついたり、接続部の摺動部分が軋んだりすることが懸念される。また、雑菌の繁殖が懸念される。
【０００６】
本発明は、上述の事情の下になされたもので、筐体同士を接続する接続部の内部を洗浄することができる携帯通信端末を提供することを目的とする。
【課題を解決するための手段】
【０００７】
上述の目的を達成するために、本発明に係る携帯通信端末は、
第１筐体と、
前記第１筐体と移動可能に接続された第２筐体と、
前記第１筐体と、前記第２筐体とにわたって配線されたケーブルと、
前記第１筐体の少なくとも一部、及び前記第２筐体の少なくとも一部とともに、前記ケーブルが収容される空間を規定するカバーと、
を有し、
前記第１筐体又は前記カバーには、外部から前記空間へ通じる導入孔が形成され、
前記第１筐体、前記第２筐体及び前記カバーのうちのいずれかには、前記空間から外部へ通じる排出孔が形成され、
前記導入孔の開口方向と前記排出孔の開口方向とは、直交することを特徴とする。
【発明の効果】
【０００８】
本発明によれば、筐体同士を接続する接続部の内部を洗浄することができる。
【図面の簡単な説明】
【０００９】
【図１】本発明の実施形態１に係る携帯電話機を示す斜視図である。
【図２】携帯電話機の正面図である。
【図３】携帯電話機の分解斜視図である。
【図４】（Ａ）は、閉状態時におけるフレキシブルプリント基板の側面図であり、（Ｂ）は、開状態時におけるフレキシブルプリント基板の側面図である。
【図５】（Ａ）は、携帯電話機のＺＸ断面図であり、（Ｂ）は、携帯電話機のＸＹ断面図である。
【図６】携帯電話機の洗浄方法を示す図である。
【図７】水の流れを示す斜視図である。
【図８】（Ａ）は、携帯電話機のＺＸ断面における水の流れを示す図であり、（Ｂ）は、ＸＹ断面における水の流れを示す図であり、（Ｃ）は、ＺＹ断面における水の流れを示す図である。
【図９】（Ａ）は、閉状態時におけるフレキシブルプリント基板の変形例を示す側面図であり、（Ｂ）は、開状態時におけるフレキシブルプリント基板の変形例を示す側面図である。
【図１０】（Ａ）は、本発明の実施形態２に係る携帯電話機を示す正面図であり、（Ｂ）は、携帯電話機のＺＹ断面図である。
【図１１】携帯電話機の斜視ＸＺ断面図である。
【図１２】（Ａ）は、蛇口Ｔからの水流によって携帯電話機を洗浄する方法を示す図であり、（Ｂ）は、ポンプＰからの水の圧送によって携帯電話機を洗浄する方法を示す図である。
【発明を実施するための形態】
【００１０】
《実施形態１》
以下、本発明の実施形態１について、図１〜図９を参照しながら説明する。
【００１１】
図１は、実施形態１に係る携帯電話機１０（携帯通信端末）の斜視図である。また、図２は、携帯電話機１０の平面図である。この携帯電話機１０は、携帯時等に、図１に示すように閉じた状態（閉状態）とし、通話時等に、図２に示すように展開した状態（開状態）とすることが可能な折り畳み式の携帯電話機である。図１及び図２に示すように、携帯電話機１０は、表示側筐体１１と、操作側筐体１２と、表示側筐体１１と操作側筐体１２との接続部を覆うヒンジピース２６と、を有している。
【００１２】
図３は、携帯電話機１０の分解斜視図である。図３に示すように、表示側筐体１１は、直方体板状のケースである。表示側筐体１１の＋Ｙ側の端部には、＋Ｙ方向に突出したヒンジ部２１ａ，２１ｂが形成されている。ヒンジ部２１ａ，２１ｂには、Ｘ軸方向に貫通する孔が形成されている。また、ヒンジ部２１ａとヒンジ部２１ｂとの間には、＋Ｙ方向に突出したヒンジピース２５が形成されている。
【００１３】
この表示側筐体１１の内部には、液晶パネル等から構成される液晶ユニットが収納されている。液晶パネルは、表示側筐体１１の−Ｚ側から視認可能となっており、画像、図形、文字、記号などの情報を表示する。
【００１４】
ヒンジピース２５は、下面が上方に凸となるに整形されている。このヒンジピース２５の下側には、半円筒状のヒンジピース２７が固定される。これにより、ヒンジピース２５とヒンジピース２７との間に所定のクリアランスが確保される。
【００１５】
また、ヒンジピース２５には、Ｚ軸方向に貫通する正方形の導入孔２５ａが形成されている。ヒンジピース２５の上面には、導入孔２５ａを覆うように、例えば両面テープ３１などで、フィルタ３０が取り付けられる。このフィルタ３０は、水に含まれる浮遊粒子等の進入を防ぐ膜である。
【００１６】
操作側筐体１２は、直方体板状のケースである。図３に示すように、操作側筐体１２の＋Ｙ側の端には、＋Ｚ方向に突出したヒンジ部２２ａ，２２ｂが形成されている。ヒンジ部２２ａ，２２ｂには、Ｘ軸方向に貫通する孔が形成されている。
【００１７】
図２を参照するとわかるように、操作側筐体１２は、その表面に複数の操作キーが配置されている。そして、内部には、例えば、操作キーからの入力を検知するための回路や、液晶ユニットを制御するための電子ユニット等が収納されている。
【００１８】
操作側筐体１２の内部に配置された電子ユニットと、表示側筐体１１の内部に配置された液晶ユニットとは、フレキシブルプリント基板４０によって、電気的に接続される。
【００１９】
フレキシブルプリント基板４０は、例えば、絶縁体からなるベースフィルム、導体箔、カバーレイが積層されることによって、構成される。ベースフィルム及びカバーレイには、例えば、ポリイミド膜が用いられる。また、導体箔には、例えば、銅が用いられる。
【００２０】
図４（Ａ）は、＋Ｘ側から見たフレキシブルプリント基板４０の側面図である。図４（Ａ）に示すように、フレキシブルプリント基板４０は、時計回りに巻かれ、略円筒形状に整形されている。このフレキシブルプリント基板４０の両端には、コネクタ４１，４２が取り付けられている。コネクタ４１は、ヒンジピース２５の下方に設けられたコネクタに接続されている。また、コネクタ４２は、ヒンジ部２２ａとヒンジ部２２ｂとの間の操作側筐体１２の上面に設けられたコネクタに接続されている。
【００２１】
図３に戻り、ヒンジピース２６は、フレキシブルプリント基板４０を覆うカバーである。ヒンジピース２６には、Ｙ軸方向に貫通する長方形の排出孔２６ａが形成されている。この排出孔２６ａは、開口面積が、導入孔２５ａの開口面積よりも小さくなるように整形されている。また、ヒンジピース２６には、一対の湾曲部２６ｂが形成されている。
【００２２】
排出孔２６ａは、ヒンジピース２６の＋Ｙ側の面に、例えば両面テープ３３によって貼り付けられたフィルタ３２で覆われている。このフィルタ３２は、フィルタ３０と同様に、水に含まれる浮遊粒子等の進入を防ぐ膜である。
【００２３】
上述の表示側筐体１１と操作側筐体１２とは、以下のように一体化される。まず、フレキシブルプリント基板４０のコネクタ４１，４２を、それぞれ表示側筐体１１、操作側筐体１２に接続する。次に、ヒンジ軸２３を、＋Ｘ側からヒンジ部２１ａ，２２ａの孔に挿通し、ヒンジ軸２４を、−Ｘ側からヒンジ部２１ｂ，２２ｂの孔に挿通する。これにより、表示側筐体１１と操作側筐体１２とが、回動可能に接続される。なお、ヒンジ軸２３，２４の先端には、爪部が形成されており、それぞれの爪部は、ヒンジ部２２ａの−Ｘ側の面と、ヒンジ部２２ｂの＋Ｘ側の面とに掛止する。
【００２４】
次に、ヒンジピース２６の湾曲部２６ｂが、ヒンジピース２５の両側に位置した状態で、ヒンジピース２６を、操作側筐体１２に固定する。これにより、ヒンジピース２６によって、ヒンジ部２２ａ，２２ｂ、フレキシブルプリント基板４０が覆われる。
【００２５】
上述のように構成された携帯電話機１０では、排出孔２６ａの開口方向と、導入孔２５ａの開口方向とが直交した状態となる。
【００２６】
図４（Ａ）に示すように、携帯電話機１０では、携帯電話機１０が閉状態となっている場合には、重なり合うフレキシブルプリント基板４０とフレキシブルプリント基板４０との間のクリアランスＣが、所定の距離で保持されている。また、図４（Ｂ）に示すように、携帯電話機１０が開状態となっている場合には、フレキシブルプリント基板４０のクリアランスＣは、閉状態の時のフレキシブルプリント基板４０のクリアランスＣよりも小さくなる。
【００２７】
図５（Ａ）、図５（Ｂ）は、それぞれ携帯電話機１０のＺＸ断面、ＸＹ断面を示す図である。図５（Ａ）及び図５（Ｂ）に示すように、表示側筐体１１と操作側筐体１２とが一体化されると、ヒンジピース２５，２６，２７等に囲まれて、空間Ａが形成される。また、ヒンジピース２５の下方及びヒンジピース２６の内側には、Ｘ軸方向に対して傾斜する傾斜面３４，３５が形成されている。
【００２８】
図６は、空間Ａの内部を洗浄する方法を説明するための図である。図６に示すように、ユーザが携帯電話機１０を洗浄する場合、先ず、ユーザは、携帯電話機１０を閉じた状態にする。そして、携帯電話機１０の＋Ｙ側の端を、水槽Ｗの水の中に入れる。そして、携帯電話機１０を、導入孔２５ａの開口方向（Ｚ軸方向）と平行に振り動かす。
【００２９】
ユーザが携帯電話機１０を振り動かすことにより、図７に示すように、水槽Ｗの水が、導入孔２５ａからフィルタ３０を通過して進入する。そして、空間Ａを通過し、排出孔２６ａからフィルタ３２を通過して排出される。
【００３０】
図８（Ａ）、図８（Ｂ）、図８（Ｃ）は、それぞれ携帯電話機１０のＺＸ断面、ＸＹ断面、ＺＹ断面における水の流れを示す図である。図８（Ａ）に示すように、水は導入孔２５ａから空間Ａに進入する。次に、水は−Ｚ方向から−Ｘ方向に流れを変える。そして、図８（Ｂ）に示すように、フレキシブルプリント基板４０のクリアランスＣ及び外周等を流れる。そして、図８（Ｃ）に示すように、再び、−Ｘ方向から−Ｚ方向に流れを変える。そして、図８（Ｃ）に示すように、水は、−Ｚ方向に流れ、排出孔２６ａから排出される。
【００３１】
以上、説明したように、本実施形態１に係る携帯電話機１０は、導入孔２５ａ及び排出孔２６ａを備えている。このため、水を、導入孔２５ａから空間Ａに導入して、排出孔２６ａから排出することにより、空間Ａを洗浄することができる。これにより、空間Ａに残存した溶質、浮遊粒子等を排出することができる。この結果、表示側筐体１１と操作側筐体１２との摺動部分又はフレキシブルプリント基板４０の表面が傷ついたり、摺動部分が軋んだりすること防ぐことができる。また、雑菌の繁殖を防ぐことができる。
【００３２】
また、携帯電話機１０では、導入孔２５ａ及び排出孔２６ａには、フィルタ３０，３２が取り付けられている。このため、所定の大きさ以上の異物が空間Ａに進入することを防ぐことができる。
【００３３】
また、フレキシブルプリント基板４０は、携帯電話機１０が閉状態の時にはクリアランスＣが大きくなるように、また開状態の時には小さくなるように、形成されている。このため、図６に示すように、閉状態にして洗浄した場合、フレキシブルプリント基板４０のクリアランスＣに残存している溶質、浮遊粒子等を良好に排出することができる。
【００３４】
また、排出孔２６ａは、その面積が導入孔２５ａの面積よりも小さくなるように、形成されている。このため、携帯電話機１０の洗浄時において、水は排出孔２６ａから排出されるだけではなく、携帯電話機１０の開閉動作時の摺動部分となるヒンジピース２５とヒンジピース２６との隙間等からも排出される。したがって、摺動部分を洗浄することができるので、摺動部分の傷付きや軋みを防ぐことができる。
【００３５】
また導入孔２５ａの開口方向は、排出孔２６ａの開口方向と直交している。このため、携帯電話機１０を、導入孔２５ａの開口方向と平行方向に揺り動かして洗浄した場合、排出孔２６ａから水が流入しにくくなり、空間Ａの水を排出しやすくなる。
【００３６】
また空間Ａの内面には、傾斜面３４，３５が形成されている。このため、空間Ａを通過する水を、滞りなく円滑に流すことができる。
【００３７】
図９（Ａ）及び図９（Ｂ）は、フレキシブルプリント基板４０の変形例を示している。本実施形態１においては、フレキシブルプリント基板４０の表面は、図５（Ａ）及び図５（Ｂ）に示すように、平滑に形成されている。これに限らず、図９（Ａ）及び図９（Ｂ）に示すように、フレキシブルプリント基板４０の表面に、複数の突起４３を形成してもよい。突起４３を形成することにより、図９（Ｂ）に示すように、携帯電話機１０が閉状態となっている場合でも、フレキシブルプリント基板４０は、所定のクリアランスＣを確保することができる。このため、携帯電話機１０を展開して洗浄する場合においても、フレキシブルプリント基板４０のクリアランスＣに残存している溶質、浮遊粒子等を良好に排出することができる。また、ユーザが携帯電話機１０の開閉を繰り返すことによって、フレキシブルプリント基板４０の面と面とを摺動させて、クリアランスＣに残存している溶質、浮遊粒子等を掻き出すことができる。
【００３８】
また、上記変形例においては、突起４３は、フレキシブルプリント基板４０の外周側に向いて、形成されているが、これに限らず、突起４３を、フレキシブルプリント基板４０内周側に向けて、形成してもよい。
【００３９】
また、洗浄時以外には、導入孔２５ａ及び排出孔２６ａにカバーを取り付けてもよい。これにより、空間Ａに異物が進入しにくくなる。この場合、フィルタ３０，３２及び両面テープ３１，３３を削減することも可能になる。
【００４０】
また、本実施形態１においては、導入孔２５ａ及び排出孔２６ａの開口の形状は、それぞれ正方形及び長方形であるが、これに限らず、円形でもよいし、多角形でもよい。
【００４１】
また、本実施形態１においては、傾斜面３４，３５の表面は平面であるが、これに限らず、湾曲した面でもよい。
【００４２】
《実施形態２》
次に、本発明の実施形態２を、図１０〜１２を参照しながら説明する。なお、実施形態１と同一又は同等の構成については、同一の符号を用いるとともに、その説明を省略又は簡略する。
【００４３】
図１０（Ａ）は、本発明の実施形態２に係る携帯電話機１１０の正面図である。図１０（Ａ）に示すように、この携帯電話機１１０は、表示側筐体１１１と操作側筐体１１２とが重なる閉状態から、表示側筐体１１１をスライドさせることによって、操作部が露出した開状態になるスライド式の携帯電話機である。携帯電話機１１０は、表示側筐体１１１と、操作側筐体１１２とを有している。
【００４４】
図１０（Ｂ）は、携帯電話機１１０のＺＹ断面を示す図である。図１０（Ｂ）に示すように、表示側筐体１１１は、Ｚ軸方向の厚みが、＋Ｙ方向に段階的に厚くなるように、形成されている。また、操作側筐体１１２は、Ｚ軸方向の厚みが、−Ｙ方向に段階的に厚くなるように、形成されている。
【００４５】
表示側筐体１１１の内部には、液晶パネル等から構成される液晶ユニットが収納されている。また操作側筐体１１２の内部には、その表面に複数の操作キーが配置されている。そして、内部には、例えば操作キーからの入力を検知するための回路や、液晶ユニットを制御するための電子ユニット等が収納されている。
【００４６】
操作側筐体１２の内部に配置された電子ユニットと、表示側筐体１１の内部に配置された液晶ユニットは、フレキシブルプリント基板１４０によって、電気的に接続されている。フレキシブルプリント基板１４０は携帯電話機１１０が閉状態になった場合にはゆるみが大きくなり、携帯電話機１１０が開状態の場合にはゆるみが小さくなる。
【００４７】
操作側筐体１１２の−Ｚ側には、Ｚ軸方向に貫通する円形の導入孔１１２ａが形成されている。操作側筐体１１２の−Ｚ側には、例えば両面テープ３１などで、フィルタ３０が取り付けられる。また、表示側筐体１１１と操作側筐体１１２との間には、隙間１２４，１２５が形成されている隙間１２４，１２５の長さは、例えば、０．５ｍｍである。
【００４８】
図１１は、携帯電話機１１０の斜視ＸＺ断面図である。図１１に示すように、表示側筐体１１１の下面の＋Ｘ側及び−Ｘ側の縁には、＋Ｚ方向に窪んだ凹部１２１が形成されている。また、操作側筐体１１２の上面の＋Ｘ側及び−Ｘ側の縁には、＋Ｚ方向に突出した凸部１２２が形成されている。そして凹部１２１と凸部１２２との間には、隙間１２３が形成される。隙間１２３は、その長さが隙間１２４，１２５の長さよりも小さく形成されている。隙間１２３の長さは、例えば、０．１５ｍｍである。
【００４９】
図１０（Ｂ）を参照するとわかるように、凹部１２１に凸部１２２を嵌め合わせることにより、表示側筐体１１と操作側筐体１２との間には、空間Ｂが形成される。表示側筐体１１と操作側筐体１２との対向する面には、Ｙ軸方向に対して傾斜する傾斜面１１３，１１４が形成されている。
【００５０】
図１２（Ａ）は、蛇口Ｔからの水流によって携帯電話機１１０を洗浄する方法を示す図である。図１２（Ａ）に示すように、ユーザが携帯電話機１１０を洗浄する場合には、ユーザは、蛇口Ｔからの水流を、導入孔１１２ａに当てる。そうすると、水は、導入孔１１２ａから空間Ｂに進入する。そして、水は＋Ｙ方向及び−Ｙ方向に流れ、隙間１２３よりも大きい隙間１２４，１２５から優先的に排出される。
【００５１】
図１２（Ｂ）は、ポンプＰからの水の圧送によって携帯電話機１１０を洗浄する方法を示す図である。この場合、あらかじめ、ユーザは、補助具Ｊ１、Ｊ２を、それぞれ隙間１２４，１２５に嵌め込み、隙間１２４，１２５を塞ぐ。ポンプＰのアタッチメントを導入孔１１２ａに取り付け、ポンプＰから水を圧送する。そうすると、導入孔１１２ａから進入した水は、隙間１２４，１２５が塞がれているため、隙間１２３から排出される。
【００５２】
以上、説明したように、本実施形態２に係る携帯電話機１１０は、導入孔１１２ａを備えている。このため、水を、導入孔１１２ａから空間Ａに導入することにより、空間Ａを洗浄することができる。これにより、空間Ｂに残存した溶質、浮遊粒子等を排出することができる。
【００５３】
また、導入孔１１２ａには、フィルタ３０が取り付けられている。このため、所定の大きさ以上の異物が空間Ｂに進入することを防ぐことができる。
【００５４】
また空間Ｂの内面には、Ｙ軸方向に対して傾斜する傾斜面１１３，１１４が形成されている。このため、空間Ｂを通過する水を、滞りなく円滑に流すことができる。
【００５５】
また、洗浄時以外には、導入孔１１２ａにカバーを取り付けてもよい。これにより、空間Ｂに異物が進入しにくくなる。この場合、フィルタ３０及び両面テープ３３を削減することも可能になる。
【００５６】
また、本実施形態２においては、導入孔１１２ａの開口の形状は、円形であるが、これに限らず、多角形でもよい。
【００５７】
また本実施形態２に係る携帯電話機１１０においては、排出孔は形成されていないが、これに限らず、排出孔を別途形成してもよい。
【００５８】
以上、実施形態１及び実施形態２について説明したが、本発明は上記各実施形態に限定されるものではない。
【００５９】
例えば、上記各実施形態においては、携帯電話機１０，１１０は、それぞれ折り畳み式の携帯電話機、スライド式の携帯電話機であるが、これに限らず、回転２軸ヒンジ式や回転式（リボルバー式）等の携帯電話機であってもよい。
【００６０】
また、携帯電話機１０においては、水槽Ｗの水の中に入れ、振り動かすことにより洗浄し、携帯電話機１１０においては、蛇口Ｔからの水流又はポンプＰからの水の圧送により洗浄している。これに限らず、携帯電話機１０を蛇口Ｔからの水流又はポンプＰからの水の圧送により洗浄し、携帯電話機１１０を水槽Ｗの水の中に入れ、振り動かすことにより洗浄してもよい。また、アルコールや洗剤などを用いて洗浄することも考えられるため、洗浄する内部は洗剤に強い材質もので成形するようにしてもよい。
【００６１】
また、上記実施形態１においては、排出孔２６ａのフィルタ３２は、両面テープ３３を介して、取り付けられているが、これに限らず、フィルタ３２を脱着可能に取り付けてもよい。フィルタ３２を外して、蛇口Ｔからの水流又はポンプＰからの水の圧送により洗浄することにより、携帯電話機１０の空間Ａに残存した溶質、浮遊粒子等良好に排出することができる。
【００６２】
また、上記各実施形態では、表示側筐体１１，１１１の内部に収納されている液晶ユニットと、操作側筐体１２，１１２の内部に収納されている電子ユニットとの接続にフレキシブルプリント基板４０，１４０を用いている。これに限らず、同軸ケーブルを用いてもよい。
【００６３】
本発明は、上記各実施形態で説明した携帯電話機に限らず、ＰＤＡ（Personal Digital
Assistant）、ＰＨＳ（Personal Handy-phone System）、ノートパソコン、ウェアラブルパソコン、電卓、電子辞書、電子ゲーム機などの携帯通信端末、及びその他の情報処理装置においても適用することができる。
【００６４】
また、本発明は、本発明の広義の精神と範囲を逸脱することなく、様々な実施形態及び変形が可能とされるものである。上述した実施形態は、本発明を説明するためのものであり、本発明の範囲を限定するものではない。
【産業上の利用可能性】
【００６５】
本発明の携帯通信端末は、折り畳み式携帯電話機又はスライド式携帯電話機に用いるのに適している。
【符号の説明】
【００６６】
１０，１１０…携帯電話機、１１，１１１…表示側筐体、１２，１１２…操作側筐体、２１ａ，２１ｂ，２２ａ，２２ｂ…ヒンジ部、２３，２４…ヒンジ軸、２５，２６，２７…ヒンジピース、２５ａ，１１２ａ…導入孔、２６ａ…排出孔、２６ｂ…溝部、３０，３２…フィルタ、３１，３３…両面テープ、３４，３５…傾斜面、４０，１４０…フレキシブルプリント基板、４１，４２…コネクタ、４３…突起、１１３，１１４…傾斜面、１２１…凹部、１２２…凸部、１２３，１２４，１２５…隙間、Ａ，Ｂ…空間、Ｃ…クリアランス、Ｊ１，Ｊ２…補助具、Ｐ…ポンプ、Ｔ…蛇口、Ｗ…水槽
【図１】
0005455227.tif 000002
【図２】
0005455227.tif 000003
【図３】
0005455227.tif 000004
【図４】
0005455227.tif 000005
【図５】
0005455227.tif 000006
【図６】
0005455227.tif 000007
【図７】
0005455227.tif 000008
【図８】
0005455227.tif 000009
【図９】
0005455227.tif 000010
【図１０】
0005455227.tif 000011
【図１１】
0005455227.tif 000012
【図１２】
0005455227.tif 000013